(57)【要約】【課題】下部構造物の上部に設けられる開閉体をより強固に下部構造物に対してロックする。【解決手段】画像読取装置は、下部構造体と下部構造体の上部を開閉する第１開閉体と第１開閉体の上部を開閉する第２開閉体とを備え、第１開閉体は、第２開閉体が開状態の際、下部構造体に対し第１開閉体をロックするロック位置に位置し、第２開閉体が閉状態の際、下部構造体に対する第１開閉体のロックを解除するロック解除位置に位置する、上下方向と交差する方向にスライドすることによりロック位置とロック解除位置との間を変位する第１ロック部材と、第１開閉体が開状態の際、第１開閉体に対し第２開閉体をロックするロック位置に位置し、第１開閉体が閉状態の際、第１開閉体に対する第２開閉体のロックを解除するロック解除位置に位置する、回動によりロック位置とロック解除位置とを切り換え可能な第２ロック部材とを備える。【選択図】図３
2014192591.tif 000002
【特許請求の範囲】
【請求項１】
下部構造体と、
前記下部構造体の上部を開閉する第１開閉体と、
前記第１開閉体の上部を開閉する第２開閉体と、を備え、
前記第１開閉体は、前記第２開閉体が開状態にあるときに前記下部構造体に対し前記第１開閉体をロックするロック位置に位置し、前記第２開閉体が閉状態にあるときに前記下部構造体に対する前記第１開閉体のロックを解除するロック解除位置に位置する、上下方向と交差する方向にスライドすることにより前記ロック位置と前記ロック解除位置との間を変位する第１ロック部材と、
前記第１開閉体が開状態にあるときに前記第１開閉体に対し前記第２開閉体をロックするロック位置に位置し、前記第１開閉体が閉状態にあるときに前記第１開閉体に対する前記第２開閉体のロックを解除するロック解除位置に位置する、回動することにより前記ロック位置とロック解除位置とを切り換え可能な第２ロック部材と、を備える、
ことを特徴とする画像読取装置。
【請求項２】
請求項１に記載の画像読取装置において、前記第１ロック部材は、前記第２ロック部材と係合状態に設けられ、
前記第２ロック部材のロック位置とロック解除位置との移動は、前記回動する動作に加えて、当該第２ロック部材が上下方向にスライドすることにより下方に位置する第１位置と上方に位置する第２位置との間を変位可能であるとともに、前記第１位置では前記第１ロック部材を前記ロック解除位置に保持し、前記第２位置では前記第１ロック部材の前記ロック解除位置から前記ロック位置への変位を許容する、
ことを特徴とする画像読取装置。
【請求項３】
請求項２に記載の画像読取装置において、前記第１開閉体は、前記第２ロック部材が前記第１位置にあるときに前記第２ロック部材の回動を許容し、前記第２ロック部材が前記第２位置にあるときに前記第２ロック部材の回動を規制することにより前記第２ロック部材の位置を前記ロック解除位置に保持する位置規制部材を有する、
ことを特徴とする画像読取装置。
【請求項４】
請求項３に記載の画像読取装置において、前記第１開閉体は、前記第１ロック部材を前記ロック位置方向に付勢する第１付勢手段と、前記第２ロック部材を前記ロック位置方向に付勢する第２付勢手段と、前記第２ロック部材を前記第２位置方向に付勢する第３付勢手段と、を備え、
前記第２開閉体は、閉状態において前記第２ロック部材を前記第１位置に保持し、開状態において前記第２ロック部材の前記第２位置から前記第１位置への変位を許容し、
前記下部構造体は、前記第１開閉体及び第２開閉体が閉状態にあるときに前記第２ロック部材と係合して前記第２ロック部材の位置を前記ロック解除位置に保持する位置保持部を備える、
ことを特徴とする画像読取装置。
【請求項５】
請求項１から４のいずれか一項に記載の画像読取装置において、前記第２ロック部材は、前記第１開閉体に形成された開口部から前記第２開閉体に向けて常時突出した状態となる、
ことを特徴とする画像読取装置。
【請求項６】
請求項４または５に記載の画像読取装置において、前記第２付勢手段が、前記第３付勢手段を兼ねる、
ことを特徴とする画像読取装置。
【請求項７】
請求項２から６のいずれか一項に記載の画像読取装置において、前記第２ロック部材において前記第１ロック部材と係合する係合面は、前記第２ロック部材が回動する際に前記第１ロック部材と係合して当該第１ロック部材を前記ロック解除位置に保持する、円弧面で形成された第１係合面と、
前記第２ロック部材が前記第１位置と前記第２位置との間でスライドする際に前記第１ロック部材と係合して当該第１ロック部材を前記ロック解除位置と前記ロック位置との間で変位させる、傾斜面で形成された第２係合面と、を備えて成る、
ことを特徴とする画像読取装置。
【発明の詳細な説明】
【技術分野】
【０００１】
本発明は、スキャナーに代表される画像読取装置に関する。
【背景技術】
【０００２】
画像読取装置の一例としてのスキャナーは、下部構造物の一例としての、記録用紙に記録を行う記録装置の上部に設けられる場合がある。この場合、記録装置のメンテナンスの為、スキャナーは記録装置の上部を開閉可能に設けられる。この開閉は、多くの場合スキャナーの回動動作によって行われる。
【０００３】
またスキャナーの上部には、スキャナーユニットを開閉するカバーが設けられる、多くの場合このカバーは回動動作によってスキャナーユニットを開閉する様に設けられる。或いは、この様なカバーに代えて、オートドキュメントフィーダー（ＡＤＦ）と呼ばれる自動原稿搬送装置がスキャナー上部に設けられる場合もあるが、やはり多くの場合このオートドキュメントフィーダーも、回動することによりスキャナーユニットを開閉する様に設けられる。
【０００４】
ここで、特にＡＤＦは重量が重い為、スキャナーを開いた際の勢いでＡＤＦも開いてしまう虞があり、そしてスキャナーもまた重量が重いことから、双方が開くことで装置が転倒してしまう虞がある。この様な問題を回避する為に、特許文献１〜３に示される様に、スキャナーと、カバー又はＡＤＦと、の一方が開いた場合は他方をロックし、双方が同時に開かない様に構成された装置が提案されている。
【先行技術文献】
【特許文献】
【０００５】
【特許文献１】特開２００６−４２００３号公報
【特許文献２】特開２０１１−７１８２０号公報
【特許文献３】特開２０１１−７１９２９号公報
【発明の概要】
【発明が解決しようとする課題】
【０００６】
ところでスキャナーは、多くの場合その上部のカバーやＡＤＦよりも重量が重く、スキャナーを開く際には比較的大きな力を必要とする。このため、スキャナーを下部構造物に対しロックするロック部位には、カバーやＡＤＦをスキャナーに対してロックするロック部位よりも、より大きな力が作用し易い。
【０００７】
しかしながら上記特許文献１〜３記載のロック機構のいずれも、回動するアーム（レバー）によりスキャナーを下部構造物に対しロックする構成であることから、ロックされた状態にあるスキャナーを開こうとした際の大きな力により、アームがロック解除方向の力を受けてロック解除される虞があり、或いはアームが荷重に耐えきれず破損する虞がある。
【０００８】
そこで本発明はこの様な状況に鑑みなされたものであり、その目的は、下部構造物の上部に設けられる開閉体を、より強固に、下部構造物に対してロックすることにある。
【課題を解決するための手段】
【０００９】
上記課題を解決する為の、本発明の第１の態様に係る画像読取装置は、下部構造体と、前記下部構造体の上部を開閉する第１開閉体と、前記第１開閉体の上部を開閉する第２開閉体と、を備え、前記第１開閉体は、前記第２開閉体が開状態にあるときに前記下部構造体に対し前記第１開閉体をロックするロック位置に位置し、前記第２開閉体が閉状態にあるときに前記下部構造体に対する前記第１開閉体のロックを解除するロック解除位置に位置する、上下方向と交差する方向にスライドすることにより前記ロック位置と前記ロック解除位置との間を変位する第１ロック部材と、前記第１開閉体が開状態にあるときに前記第１開閉体に対し前記第２開閉体をロックするロック位置に位置し、前記第１開閉体が閉状態にあるときに前記第１開閉体に対する前記第２開閉体のロックを解除するロック解除位置に位置する、回動することにより前記ロック位置とロック解除位置とを切り換え可能な第２ロック部材とを備えることを特徴とする。
【００１０】
本態様によれば、下部構造体の上部を開閉する第１開閉体を下部構造体に対しロックする第１ロック部材は、上下方向と交差する方向にスライドすることにより第１開閉体をロックするロック位置と、ロックを解除するロック解除位置と、を変位する。従って、下部構造体の上部に設けられた第１開閉体がロックされた状態で当該第１開閉体を開こうとした際に、第１ロック部材に大きな力が掛かっても、当該第１ロック部材はその様な大きな力に確実に対抗することができ、より強固に、第１開閉体を下部構造体に対してロックすることができる。
【００１１】
本発明の第２の態様は、第１の態様において、前記第１ロック部材は、前記第２ロック部材と係合状態に設けられ、前記第２ロック部材のロック位置とロック解除位置との移動は、前記回動する動作に加えて、当該第２ロック部材が上下方向にスライドすることにより下方に位置する第１位置と上方に位置する第２位置との間を変位可能であるとともに、前記第１位置では前記第１ロック部材を前記ロック解除位置に保持し、前記第２位置では前記第１ロック部材の前記ロック解除位置から前記ロック位置への変位を許容することを特徴とする。
【００１２】
本態様によれば、前記第１ロック部材と前記第２ロック部材が係合することにより両者の位置及び姿勢の切り換えが行われる構成であるので、前記第１ロック部材と前記第２ロック部材とを別々の位置に設ける構成に比して、組立作業性が良く、また設置スペースの節約を図ることができる。
【００１３】
本発明の第３の態様は、第２の態様において、前記第１開閉体は、前記第２ロック部材が前記第１位置にあるときに前記第２ロック部材の回動を許容し、前記第２ロック部材が前記第２位置にあるときに前記第２ロック部材の回動を規制することにより前記第２ロック部材の位置を前記ロック解除位置に保持する位置規制部材を有することを特徴とする。本態様によれば、位置規制部材を備える構成において、上記第１または第２のいずれかの態様の作用効果が得られる。
【００１４】
本発明の第４の態様は、第３の態様において、前記第１開閉体は、前記第１ロック部材を前記ロック位置方向に付勢する第１付勢手段と、前記第２ロック部材を前記ロック位置方向に付勢する第２付勢手段と、前記第２ロック部材を前記第２位置方向に付勢する第３付勢手段と、を備え、前記第２開閉体は、閉状態において前記第２ロック部材を前記第１位置に保持し、開状態において前記第２ロック部材の前記第２位置から前記第１位置への変位を許容し、前記下部構造体は、前記第１開閉体及び第２開閉体が閉状態にあるときに前記第２ロック部材と係合して前記第２ロック部材の位置を前記ロック解除位置に保持する位置保持部を備えることを特徴とする。
【００１５】
本態様によれば、第１ロック部材及び第２ロック部材のロック位置及びロック解除位置の切り換えを各付勢手段の付勢力により切り換えることから、装置構成の単純化と低コスト化を図ることができる。
【００１６】
本発明の第５の態様は、第１から第４の態様のいずれかにおいて、前記第２ロック部材は、前記第１開閉体に形成された開口部から前記第２開閉体に向けて常時突出した状態となることを特徴とする。
【００１７】
第１開閉体に対し第２開閉体をロックする第２ロック部材が、第２開閉体の開放時に第１開閉体から非突出状態にあると、第２ロック部材が突出する開口部上に媒体が置かれたまま、第２開閉体が閉じられる虞がある。この場合、媒体は開口部から突出する第２ロック部材によって穿孔されてしまう可能性がある。しかしながら本態様によれば、前記第２ロック部材は、前記開口部から常時突出した状態となるので、ユーザーが媒体を開口部上に置く虞が無く、上述の様な不具合を回避できる。
【００１８】
本発明の第６の態様は、第４のまたは第５の態様において、前記第２付勢手段が、前記第３付勢手段を兼ねることを特徴とする。  
本態様によれば、前記第２付勢手段が、前記第３付勢手段を兼ねるので、装置構成の単純化と低コスト化を図ることができる。
【００１９】
本発明の第７の態様は、第２から第６の態様のいずれかにおいて、前記第２ロック部材において前記第１ロック部材と係合する係合面は、前記第２ロック部材が回動する際に前記第１ロック部材と係合して当該第１ロック部材を前記ロック解除位置に保持する、円弧面で形成された第１係合面と、前記第２ロック部材が前記第１位置と前記第２位置との間でスライドする際に前記第１ロック部材と係合して当該第１ロック部材を前記ロック解除位置と前記ロック位置との間で変位させる、傾斜面で形成された第２係合面と、を備えて成ることを特徴とする。
【００２０】
本態様によれば、前記第２ロック部材において前記第１ロック部材と係合する係合面が、前記第２ロック部材が回動する際に機能する円弧面と、前記第１ロック部材及び前記第２ロック部材がスライドする際に機能する傾斜面とで構成されているので、各ロック部材の動作に応じた適切な係合状態を形成することができる。
【図面の簡単な説明】
【００２１】
【図１】本発明に係るプリンターの斜視図。
【図２】本発明に係るプリンターの背面斜視図。
【図３】本発明に係るプリンターにおいてオートドキュメントフィーダー（ＡＤＦ）を開いた状態を示す斜視図。
【図４】本発明に係るプリンターにおいてスキャナーユニットを開いた状態を示す斜視図。
【図５】本発明に係るプリンターにおけるスキャナーユニットの内部透視図。
【図６】（Ａ）は本発明に係るプリンターにおけるオートドキュメントフィーダー（ＡＤＦ）及びスキャナーユニットのロック機構の斜視図であり、（Ｂ）はロック機構における第１ロック部材の側面図。
【図７】（Ａ）は、ロック機構における第２ロック部材の側面図であり、（Ｂ）は第２ロック部材の位置を規制する位置規制部材の側面図。
【図８】装置本体にオートドキュメントフィーダー（ＡＤＦ）及びスキャナーユニットが閉じられた状態にある際のロック機構の側面図。
【図９】（Ａ）は、オートドキュメントフィーダー（ＡＤＦ）が開かれた状態にある際のロック機構の側面図であり、（Ｂ）は、オートドキュメントフィーダー（ＡＤＦ）が開かれた状態にある際のスキャナーユニットにおける第２ロック部材を示す斜視図。
【図１０】（Ａ）は、スキャナーユニットが装置本体に対して開かれた状態にある際のロック機構の側面図であり、（Ｂ）は、スキャナーユニットが装置本体に対して開かれた状態にある際の第１ロック部材の斜視図。
【発明を実施するための形態】
【００２２】
以下、本発明の実施の形態を図面に基づいて説明する。尚、各実施例において同一の構成については、同一の符号を付し、最初の実施例においてのみ説明し、以後の実施例においてはその構成の説明を省略する。
【００２３】
図１は本発明に係るプリンターの斜視図であり、図２は本発明に係るプリンターの背面斜視図であり、図３は本発明に係るプリンターにおいてオートドキュメントフィーダー（ＡＤＦ）を開いた状態を示す斜視図であり、図４は本発明に係るプリンターにおいてスキャナーユニットを開いた状態を示す斜視図であり、図５は本発明に係るプリンターにおけるスキャナーユニットの内部透視図である。
【００２４】
図６（Ａ）は本発明に係るプリンターにおけるオートドキュメントフィーダー（ＡＤＦ）及びスキャナーユニットのロック機構の斜視図であり、図６（Ｂ）はロック機構における第１ロック部材の側面図であり、図７（Ａ）は、ロック機構における第２ロック部材の側面図であり、図７（Ｂ）は第２ロック部材の位置を規制する位置規制部材の側面図であり、図８は装置本体にオートドキュメントフィーダー（ＡＤＦ）及びスキャナーユニットが閉じられた状態にある際のロック機構の側面図である。
【００２５】
図９（Ａ）は、オートドキュメントフィーダー（ＡＤＦ）が開かれた状態にある際のロック機構の側面図であり、図９（Ｂ）は、オートドキュメントフィーダー（ＡＤＦ）が開かれた状態にある際のスキャナーユニットにおける第２ロック部材を示す斜視図であり、図１０（Ａ）は、スキャナーユニットが装置本体に対して開かれた状態にある際のロック機構の側面図であり、図１０（Ｂ）は、スキャナーユニットが装置本体に対して開かれた状態にある際の第１ロック部材の斜視図である。
【００２６】
また、各図において示すＸ−Ｙ−Ｚ座標系はＸ方向が記録装置の幅方向、Ｙ方向が記録装置の奥行き方向、Ｚ方向が記録装置の高さ方向を示している。尚、各図において−Ｙ向を装置前面側とし、＋Ｙ方向側を装置背面側とする。
【００２７】
図１及び図２を参照するに、本発明に係る画像読取装置１０が示されている。画像読取装置１０は、「下部構造体」としての装置本体１２と、装置本体１２の上部を開閉する「第１開閉体」としてのスキャナーユニット１４と、当該スキャナーユニットの上部を開閉する「第２開閉体」としてのオートドキュメントフィーダー（ＡＤＦ）１６（以下、「ＡＤＦ１６」）とを備えている。装置本体１２は、装置前面側（図１−Ｙ方向側）においてユーザーが画像読取装置１０を操作するための操作パネル部１８と、装置前面側に開口した排出口２０と、当該排出口２０の下方に配置された媒体収容部２２とを備えている。
【００２８】
媒体収容部２２は、Ｚ軸方向上方側に位置する上段側トレイ２４と、当該上段側トレイ２４の下方に位置する下段側トレイ２６とを備えている。上段側トレイ２４及び下段側トレイ２６は、装置本体１２に対しそれぞれ装置前方側（図３における−Ｙ方向）から装着及び取り外し可能に構成されている。また、操作パネル部１８は、画像読取装置１０を操作するための電源ボタンや印刷設定ボタン、表示パネル等を備えて構成されている。
【００２９】
また、装置本体１２内には、図示しないが媒体Ｐを媒体収容部２２から搬送する搬送部と、媒体Ｐの記録面に記録を行う記録部と、該記録部により記録が行われた媒体Ｐを排出口２０から排出する排出部と、媒体収容部２２から前記記録部を介して前記排出部に媒体Ｐを搬送する搬送経路とが設けられている。
【００３０】
また、装置本体１２は、装置背面側（図２＋Ｙ方向側）において、装置本体１２に対して回動可能に構成された背面カバー２８を備えている。尚、図２において、背面カバー２８は、装置本体１２に対して閉じた状態にある。また、背面カバー２８は、当該背面カバーの自由端側に背面カバー２８に対して回動可能に連結された第１媒体支持トレイ３０を備えている。
【００３１】
■■■第１の実施例■■■■
次いでスキャナーユニット１４及びＡＤＦ１６について説明する。図１及び図３を参照するに、ＡＤＦ１６は、スキャナーユニット１４の上部に配置されている。ＡＤＦ１６は、スキャナーユニット１４の上部において＋Ｙ方向側の端部に回動軸３２を介して回動可能にスキャナーユニット１４と連結されている。このため、本実施例では、ＡＤＦ１６は、−Ｙ方向側の端部を自由端としてスキャナーユニット１４に対して回動して開閉する。
【００３２】
また、ＡＤＦ１６は、第２媒体支持トレイ３４と、媒体搬送部３６と、媒体排出スタック３８と、ＡＤＦ１６の下面に設けられた原稿押さえ部材４０とを備えている。媒体搬送部３６は、ＡＤＦ１６がスキャナーユニット１４に対して閉じられている状態（図１参照）において第２媒体支持トレイ３４に支持された媒体Ｐを搬送し、スキャナーユニット１４の上部に設けられたＡＤＦ読取面４２（図３参照）において光学走査部４４（図５参照）に読み取らせた後、媒体排出スタック３８に排出する。
【００３３】
次いで、図３ないし図５を参照して、スキャナーユニット１４の構成について説明する。スキャナーユニット１４は、図３及び図４に示すように、装置本体１２の上部に配置されている。また、スキャナーユニット１４は、装置本体１２の上部において＋Ｙ方向側の端部に回動軸４６を介して回動可能に装置本体１２と連結されている。このため、本実施例では、スキャナーユニット１４は、−Ｙ方向側の端部を自由端として装置本体１２に対して回動して開閉する。
【００３４】
また、スキャナーユニット１４は、装置本体１２に対して開かれた状態（図４参照）にある際、装置本体１２の上部に設けられた開口部４８を介してキャリッジ（図示せず）のＸ軸方向における移動領域５０の少なくとも一部を開放する。
【００３５】
このため、キャリッジの移動領域５０において媒体Ｐの紙詰まりが生じた際、スキャナーユニット１４を装置本体１２に対して開いた状態とすることにより、ユーザーが開口部４８を介して移動領域５０に対してアクセス可能となり、容易に詰まった媒体Ｐを取り除くことができる。
【００３６】
また、スキャナーユニット１４は、原稿載置面５２（図３参照）と、光学走査部４４と、ロック機構５６とを備えている。原稿載置面５２は、スキャナーユニット１４の上部に設けられている。原稿載置面５２は、透明なガラス板により形成されている。本実施例では、原稿載置面５２の−Ｘ方向側の端部に光学走査部４４が原稿載置面５２に載置された原稿を読み取るための原稿読取原点Ｓが設定されている。尚、原稿載置面５２の周囲は原稿載置面５２より一段高くなっており、これにより原稿読取原点Ｓに対し、原稿角部を突き当てて位置決めすることができる様になっている。
【００３７】
また、スキャナーユニット１４に対してＡＤＦ１６が開かれた状態にある際、原稿載置面５２に媒体Ｐが載置される。その後、ＡＤＦ１６をスキャナーユニット１４に対して閉じることにより媒体Ｐが読取可能状態となる。この際、原稿載置面５２に載置された媒体Ｐは、ＡＤＦ１６に設けられた原稿押さえ部材４０により媒体Ｐの原稿載置面５２に面した側と反対側の面が押圧される。
【００３８】
これにより、媒体Ｐは原稿載置面５２に対して一様に押し付けられ、媒体Ｐが原稿載置面５２から浮かないようにされている。尚、原稿押さえ部材４０の大きさは、原稿載置面５２に載置される媒体Ｐの前記反対側の面の全領域を押さえられるように原稿載置面５２の大きさと同じ大きさに設定されている。
【００３９】
また、スキャナーユニット１４の上部において原稿載置面５２の＋Ｘ方向側には、ＡＤＦ読取面４２が設けられている。ＡＤＦ読取面４２は、後述する光学走査部５４が待機位置にある場合にＡＤＦ１６の媒体搬送部３６により搬送された媒体Ｐを読取可能な位置に設けられている。
【００４０】
また、図５を参照して、光学走査部４４は、読取部５８と駆動機構６０とを備えている。読取部５８は、図５においてＹ軸方向に延設されており、原稿載置面５２及びＡＤＦ読取面４２のＹ軸方向における長さに対応している。駆動機構６０は、図５におけるＸ軸方向に沿って延設されている。駆動機構６０は、図示しない駆動源により回転駆動させられる、スキャナーユニット１４の＋Ｘ方向側の端部に設けられた駆動プーリー６２と、スキャナーユニット１４の−Ｘ方向側の端部に設けられた従動プーリー６４と、駆動プーリー６２と従動プーリー６４との間を巻回された無端ベルト６６とを備えている。
【００４１】
無端ベルト６６は読取部５８に接続され、駆動プーリー６２の回転に応じて、読取部５８をＸ軸方向に沿って＋Ｘ方向及び−Ｘ方向に移動させる。これにより、原稿載置面５２に載置された媒体Ｐの該原稿載置面と対向する面の読取を行うことができる。尚、本実施例では、図５に示す読取部５８の位置が該読取部の待機位置であるとともにＡＤＦ読取面４２の読取位置（図３参照）に設定されている。
【００４２】
次いで、本実施例に係るロック機構５６について詳説する。図５及び図６（Ａ）を参照するに、ロック機構５６はスキャナーユニット１４においてＸ軸方向における＋Ｘ方向側の端部及び−Ｘ方向側の端部にそれぞれ設けられている。ロック機構５６は、第１ロック部材６８と、第２ロック部材７０と、位置規制部材７２と、「第１付勢手段」としての第１付勢部材７４と、「第３付勢手段」を兼ねる「第２付勢手段」としての第２付勢部材７６とを備えている。
【００４３】
図６（Ｂ）を参照するに第１ロック部材６８は、フック部７８と、係合部８０と、付勢部材保持部８２とを備える。係合部８０は、図６（Ｂ）におけるＺ軸方向において−Ｙ方向側に傾斜している係合面８４を備えている。
【００４４】
図７（Ａ）を参照するに第２ロック部材７０は、フック部８６と、係合部８８と、付勢部材保持部９０と、第１ピン９２と、第２ピン９４とを備えている。係合部８８は、さらに円弧面で形成された第１係合面９６と、傾斜面で形成された第２係合面９８と、Ｙ軸方向において第２係合面９８と反対側の面において傾斜面として形成された第３係合面１００とを備えている。第１ピン９２は、円柱状のピンとして形成され、さらに図７におけるＹ軸方向においてその両端部が切欠かれており、切欠き面９２ａ及び９２ｂが形成されている。尚、本実施例において第１係合面９６の円弧の中心は、第１ピン９２の中心軸と一致するように設定されている。
【００４５】
図６（Ａ）及び図７（Ｂ）を参照するに位置規制部材７２は、スキャナーユニット１４において図６（Ａ）におけるＺ軸方向に延び、かつＸ軸方向に間隔を置いた一対の板状部材として形成されている。また、図６（Ａ）に示すようにＸ軸方向において一対の位置規制部材７２の間には第２ロック部材７０が配置されている。各位置規制部材７２は、Ｚ軸方向に延びる溝部１０２を備えている。溝部１０２は、回動許容部１０４と、回動規制部１０６とを備えている。
【００４６】
図６（Ａ）に示すように一対の位置規制部材７２の間に配置された第２ロック部材７０において第１ピン９２及び第２ピン９４は、位置規制部材７２の溝部１０２に図６（Ａ）におけるＺ軸方向にスライド可能に係合されている。すなわち、第２ロック部材７０は、第１ピン９２の切欠き面９２ａ及び９２ｂが溝部１０２と当接することにより、第２ロック部材７０の姿勢を保持しつつＺ軸方向にスライド移動する。
【００４７】
ここで、第２ロック部材７０の第１ピン９２が溝部１０２の回動許容部１０４に位置すると、切欠き面９２ａ及び９２ｂと溝部１０２との当接状態が解消され、第２ロック部材７０は、第１ピン９２を回動支点として回動可能となる。この際、第２ピン９４は、溝部１０２の−Ｚ方向の端部に位置しており、第２ロック部材７０の回動に伴って溝部１０２の−Ｚ方向の端部から反時計方向に回動しながら回動規制部１０６に変位する。そして、回動規制部１０６は、第２ロック部材７０において所定の角度以上の反時計方向への回動を規制するように構成されている。
【００４８】
次いで図８を参照するに、第１付勢部材７４は、一端がスキャナーユニット１４に取り付けられ、他端が第１ロック部材６８の付勢部材保持部８２に取り付けられている。このため、第１付勢部材７４は、図８における−Ｙ方向すなわち後述するスキャナーユニット１４を装置本体１２にロックするロック位置に向けて第１ロック部材６８を付勢している。尚、本実施例では、第１付勢部材７４は、ばね部材として構成されている。
【００４９】
また、第２付勢部材７６は、一端がスキャナーユニット１４に取り付けられ、他端が第２ロック部材７０の付勢部材保持部９０に取り付けられている。このため、第２付勢部材７６は、図８における＋Ｚ方向に第２ロック部材７０を付勢している。尚、本実施例では、第２付勢部材７６は、ばね部材として構成されている。
【００５０】
また、装置本体１２には、該装置本体１２に対してスキャナーユニット１４が閉状態にある際、第１ロック部材６８のフック部７８を受け入れる凹部１０８（図８参照）が設けられている。さらに装置本体１２には、該装置本体１２に対してスキャナーユニット１４が閉状態にある際、第１ロック部材６８のフック部７８を掛止してスキャナーユニット１４を装置本体１２に対して開かないようにロックする掛止部１１０（図９（Ａ）参照）が設けられている。さらに、装置本体１２の上部には傾斜面を備え、第２ロック部材７０の位置を保持する位置保持部１１２が設けられている。
【００５１】
また、ＡＤＦ１６には、スキャナーユニット１４に対してＡＤＦ１６が閉じている状態にある際、第２ロック部材７０のフック部８６を受け入れる凹部１１４が設けられている。さらに、ＡＤＦ１６には、スキャナーユニット１４に対してＡＤＦ１６が閉状態にある際、第２ロック部材７０のフック部８６を掛止してＡＤＦ１６をスキャナーユニット１４に対して開かないようにロックする掛止部１１６（図１０（Ａ）参照）が設けられている。
【００５２】
また、図８に示す状態は、装置本体１２に対してスキャナーユニット１４が閉状態にあり、かつスキャナーユニット１４に対してＡＤＦ１６が閉状態にある。このとき、第１ロック部材６８は、装置本体１２に対するスキャナーユニット１４のロックを解除するロック解除位置（図８参照）に位置している。また、第２ロック部材７０は、スキャナーユニット１４が装置本体１２に対して閉状態にある際、スキャナーユニット１４に対するＡＤＦ１６のロックを解除するロック解除位置に位置している。さらに第１ロック部材６８と第２ロック部材７０とは係合状態に設けられている。
【００５３】
このとき、スキャナーユニット１４に対してＡＤＦ１６が閉状態にあることから、スキャナーユニット１４の上部に設けられた開口部１１８を介して凹部１１４に受け入れられているフック部８６と凹部１１４の内面とが当接する。これにより、第２ロック部材７０は、ＡＤＦ１６の自重によりフック部８６を介して−Ｚ方向に第２付勢部材７６の付勢力に抗して押圧される。このため、装置本体１２に設けられた位置保持部１１２と第２ロック部材７０の第３係合面１００とが係合する。尚、第２ロック部材７０においてＺ軸方向におけるこの位置を第１位置とする（図８参照）。
【００５４】
この際、第１ピン９２は、位置規制部材７２の回動許容部１０４に位置しているが、位置保持部１１２と第３係合面１００とが係合していることから、第２ロック部材７０は反時計方向への回動を規制される。すなわち、位置保持部１１２は、第２ロック部材７０が前記第１位置にあるときに第２ロック部材７０の回動を規制することにより該第２ロック部材の位置をロック解除位置に保持する。また、第２ロック部材７０において、時計方向への回動は第２付勢部材７６の付勢力により規制されている。このため、図８の状態において第２ロック部材７０は、その位置を位置保持部１１２及び第２付勢部材７６により保持される。
【００５５】
また、第１ロック部材６８は、第１付勢部材７４により上下方向と交差する方向すなわちＹ軸方向における−Ｙ方向に付勢されている。しかし、第１ロック部材６８の係合面８４と第２ロック部材７０の第１係合面９６とが当接し、係合状態となるため、第１ロック部材６８は、第２ロック部材７０の第１係合面９６により−Ｙ方向への変位を規制される。このため、第１ロック部材６８は、−Ｙ方向へ移動してフック部７８を掛止部１１０に掛止させるロック状態に移行できず、フック部７８が凹部１０８に受け入れられているのみの状態すなわちロック解除状態に保持される。
【００５６】
次いで、図８の状態からＡＤＦ１６をスキャナーユニット１４に対して回動させて開いた状態とすると、第２ロック部材７０を−Ｚ方向に押圧していたＡＤＦ１６からの自重による押圧力がなくなるため、第２ロック部材７０は第２付勢部材７６の付勢力により第１ピン９２及び第２ピン９４が溝部１０２に沿って＋Ｚ方向に移動する。すなわち、第２ロック部材７０が前記第１位置から＋Ｚ方向つまり上方にスライド移動する。尚、図９（Ａ）における第２ロック部材７０のＺ軸方向における位置を第２位置とする（図９（Ａ）参照）。
【００５７】
すなわち、ＡＤＦ１６がスキャナーユニット１４に対して閉状態にある際、第２ロック部材７０はＡＤＦ１６により前記第１位置（図８参照）に保持される。また、ＡＤＦ１６がスキャナーユニット１４に対して開状態にある際、第２ロック部材７０は前記第２位置（図９（Ａ）参照）から該第２位置の下方に位置する前記第１位置へ変位する。
【００５８】
第２ロック部材７０が＋Ｚ方向にスライド移動することにより、第３係合面１００と位置保持部１１２との係合が解除される。尚、この際、第１ピン９２が回動許容部１０４から移動することから、第１ピン９２の切欠き面９２ａ及び９２ｂが溝部１０２と当接し、第２ロック部材７０の回動を規制する。
【００５９】
また、第２ロック部材７０がＺ軸方向において第１位置（図８参照）から該第１位置の上方に位置する第２位置に移動することにより、第１ロック部材６８の係合面８４は、第２ロック部材７０の第１係合面９６との係合を解消し、第２係合面９８と係合する。この際、第１ロック部材６８の係合面８４は、第１付勢部材７４の−Ｙ方向への付勢力により、第１係合面９６の円弧及び第２係合面９８の傾斜に沿って−Ｙ方向側に移動する。
【００６０】
すなわち、第１ロック部材６８は−Ｙ方向にスライド移動する。これにより、第１ロック部材６８のフック部７８が装置本体１２の凹部１０８内でスライド移動し、掛止部１１０にフック部７８が掛止される。したがって、スキャナーユニット１４に対してＡＤＦ１６が開いた状態にある際、第１ロック部材６８が装置本体１２に対してスキャナーユニット１４が開かないようにロックするロック位置に位置することとなる。このため、第１ロック部材６８は、上下方向（Ｚ軸方向）と交差する方向（Ｙ軸方向）にスライドすることにより前記ロック位置と前記ロック解除位置との間を変位することができる。
【００６１】
また、図９（Ｂ）を参照するに、スキャナーユニット１４に対してＡＤＦ１６が開かれた状態にある際、第２ロック部材７０は第２位置（図９（Ａ）参照）にあることから、スキャナーユニット１４の上部に設けられた開口部１１８からＡＤＦ１６に向けてフック部８６が常時突出した状態となる。
【００６２】
ところで、スキャナーユニット１４に対しＡＤＦ１６をロックする第２ロック部材７０が、ＡＤＦ１６の開放時にスキャナーユニット１４から非突出状態にあり、閉状態で第２ロック部材７０が突出するような構成の場合、第２ロック部材７０が突出する開口部１１８上に媒体Ｐが置かれたまま、ＡＤＦ１６が閉じられる虞がある。この場合、媒体Ｐは開口部１１８から突出する第２ロック部材７０によって穿孔されてしまう可能性がある。しかしながら、第２ロック部材７０は、開口部１１８から常時突出した状態となるので、ユーザーが媒体Ｐを開口部１１８上に置く虞が無く、上述の様な不具合を回避できる。
【００６３】
次いで、図８の状態において、第１ロック部材６８はロック解除位置に位置していることから、図１０（Ａ）に示すようにスキャナーユニット１４を装置本体１２に対して回動させて開いた状態とすることができる。これにより、第２ロック部材７０の第３係合面１００と装置本体１２の位置保持部１１２との係合状態が解消される。このとき、第２ロック部材７０は第１位置に位置していることから、第１ピン９２が回動許容部１０４に位置している。
【００６４】
このため、第２ロック部材７０は回動許容部１０４に位置する第１ピン９２を回動支点として第２付勢部材７６の付勢力により図１０（Ａ）における反時計方向に回動する。このため、第２ロック部材７０のフック部８６は、ＡＤＦ１６の凹部１１４内を移動して掛止部１１６に掛止される。このため、第２ロック部材７０は、スキャナーユニット１４が装置本体１２に対して開いた状態にある際、スキャナーユニット１４に対してＡＤＦ１６をロックするロック位置となる。すなわち、第２ロック部材７０は、回動することによりスキャナーユニット１４に対してＡＤＦ１６をロックするロック位置とロックを解除するロック解除位置とを切り換え可能である。
【００６５】
また、第２ロック部材７０が第１ピン９２を回動支点として図１０（Ａ）における反時計方向に回動する際、円弧状の第１係合面９６の中心位置と回動支点となる第１ピン９２の中心軸とが一致していることから、第１ロック部材６８の係合面８４と円弧状の第１係合面９６との図１０（Ａ）のＹ軸方向及びＺ軸方向における係合位置は変化しない。このため、第１ロック部材６８は装置本体１２に対するスキャナーユニット１４のロック解除位置を保持することができる。
【００６６】
すなわち、第２ロック部材の係合部８８において、円弧面で形成された第１係合面９６は、第２ロック部材７０が回動する際に前記第１ロック部材と係合して当該第１ロック部材を前記ロック解除位置に保持し、傾斜面で形成された第２係合面９８は、第２ロック部材７０がＺ軸方向において前記第１位置と前記第２位置との間でスライドする際に第１ロック部材６８と係合して当該第１ロック部材を前記ロック解除位置と前記ロック位置との間で変位させる。このため、第１ロック部材６８の係合部８０と第２ロック部材７０の係合部８８とは、各ロック部材の動作に応じた適切な係合状態を形成することができる。
【００６７】
したがって、スキャナーユニット１４に対してＡＤＦ１６が開状態にある際、第１ロック部材６８はＹ軸方向においてロック解除位置からロック位置に移動し、第２ロック部材７０は第１位置から第２位置に変位するとともにロック解除位置を維持する。このため、スキャナーユニット１４は、装置本体１２に対して開かないようにロックされる。
【００６８】
また、装置本体１２に対してスキャナーユニット１４が開状態にある際、第１ロック部材６８はＹ軸方向においてロック解除位置に保持され、第２ロック部材７０は第１位置に保持されるとともにロック解除位置からロック位置に回動させられる。このため、ＡＤＦ１６は、スキャナーユニット１４に対して開かないようにロックされる。
【００６９】
また、図１０（Ｂ）に示すように、第１ロック部材６８がロック解除位置に位置していることから、装置本体１２に対してスキャナーユニット１４を閉じた際、第１ロック部材６８のフック部７８は凹部１０８に受け入れられる。このため、第１ロック部材６８のフック部７８が装置本体１２の上部に衝突する虞をなくすことができる。
【００７０】
また、本実施例において第２付勢部材７６は、第２ロック部材７０を第１位置から第２位置すなわちＺ軸方向において＋Ｚ方向に付勢するとともに第２ロック部材７０をロック解除位置（図８参照）からロック位置方向（図１０（Ａ）参照）に付勢している。このため、第２付勢部材７６は、第２付勢手段及び第３付勢手段を兼ねるので、装置構成の単純化と低コスト化を図ることができる。
【００７１】
また、装置本体１２の上部を開閉するスキャナーユニット１４を装置本体１２に対しロックする第１ロック部材６８は、Ｚ軸方向と交差するＹ軸方向にスライドすることによりスキャナーユニット１４をロックするロック位置と、ロックを解除するロック解除位置と、を変位する。従って、装置本体１２の上部に設けられたスキャナーユニット１４がロックされた状態で当該スキャナーユニットを開こうとした際に、第１ロック部材６８に大きな力が掛かっても、当該第１ロック部材はその様な大きな力に確実に対抗することができ、より強固に、スキャナーユニット１４を装置本体１２に対してロックすることができる。
【００７２】
さらに、第１ロック部材６８と第２ロック部材７０が係合することにより両者の位置及び姿勢の切り換えが行われる構成であるので、第１ロック部材６８と第２ロック部材７０とを別々の位置に設ける構成に比して、組立作業性が良く、また設置スペースの節約を図ることができる。
【００７３】
＜＜＜実施例の変形例＞＞＞
本実施例において、ロック機構５６をスキャナーユニット１４のＸ軸方向における両端部に設ける構成としたが、Ｘ軸方向におけるいずれか一方の端部に設ける構成としてもよい。これにより画像読取装置１０において一組のロック機構５６を設けるだけでよいことから、装置構成を単純化でき、低コスト化を図ることができる。
【００７４】
上記説明をまとめると本実施形態の画像読取装置１０は、装置本体１２と、装置本体１２の上部を開閉するスキャナーユニット１４と、該スキャナーユニットの上部を開閉するＡＤＦ１６とを備えている。スキャナーユニット１４は、ＡＤＦ１６が開状態にあるときに装置本体１２に対しスキャナーユニット１４をロックするロック位置に位置し、ＡＤＦ１６が閉状態にあるときに装置本体１２に対するスキャナーユニット１４のロックを解除するロック解除位置に位置する、Ｚ軸方向と交差するＹ軸方向にスライドすることにより前記ロック位置と前記ロック解除位置との間を変位する第１ロック部材６８と、スキャナーユニット１４が開状態にあるときにスキャナーユニット１４に対しＡＤＦ１６をロックするロック位置に位置し、スキャナーユニット１４が閉状態にあるときにスキャナーユニット１４に対するＡＤＦ１６のロックを解除するロック解除位置に位置する、回動することにより前記ロック位置とロック解除位置とを切り換え可能な第２ロック部材７０とを備えている。
【００７５】
第１ロック部材６８は、第２ロック部材７０と係合状態に設けられている。第２ロック部材７０のロック位置とロック解除位置との移動は、前記回動する動作に加えて、当該第２ロック部材が上下方向にスライドすることにより下方に位置する第１位置と上方に位置する第２位置との間を変位可能であるとともに、前記第１位置では第１ロック部材６８を前記ロック解除位置に保持し、前記第２位置では第１ロック部材６８の前記ロック解除位置から前記ロック位置への変位を許容する。
【００７６】
スキャナーユニット１４は、第２ロック部材７０が前記第１位置にあるときに第２ロック部材７０の回動を許容し、第２ロック部材７０が前記第２位置にあるときに第２ロック部材７０の回動を規制することにより第２ロック部材７０の位置を前記ロック解除位置に保持する位置規制部材７２を有する。スキャナーユニット１４は、第１ロック部材６８を前記ロック位置方向に付勢する第１付勢部材７４と、第２ロック部材７０を前記ロック位置方向に付勢するとともに第２位置方向に付勢する第２付勢部材７６とを備えている。ＡＤＦ１６は、閉状態において第２ロック部材７０を前記第１位置に保持し、開状態において第２ロック部材７０の前記第２位置から前記第１位置への変位を許容する。装置本体１２は、スキャナーユニット１４及びＡＤＦ１６が閉状態にあるときに第２ロック部材７０と係合して該第２ロック部材の姿勢を前記ロック解除姿勢に保持する位置保持部１１２を備えている。
【００７７】
第２ロック部材７０は、スキャナーユニット１４に形成された開口部１１８からＡＤＦ１６に向けて常時突出した状態となる。また、第２付勢部材７６が、第２付勢手段と第３付勢手段とを兼ねている。
【００７８】
第２ロック部材７０において第１ロック部材６８と係合する係合部８８は、第２ロック部材７０が回動する際に第１ロック部材６８と係合して当該第１ロック部材を前記ロック解除位置に保持する、円弧面で形成された第１係合面９６と、第２ロック部材７０がＺ軸方向における前記第１位置と前記第２位置との間でスライドする際に第１ロック部材６８と係合して当該第１ロック部材を前記ロック解除位置と前記ロック位置との間で変位させる、傾斜面で形成された第２係合面９８と、を備えて成る。
【００７９】
また、本実施形態では本発明に係る画像読取装置１０の一例としての記録装置に適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００８０】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００８１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８２】
１０  画像読取装置、１２  装置本体、１４  スキャナーユニット、１６  ＡＤＦ、
１８  操作パネル部、２０  排出口、２２  媒体収容部、２４  上段側トレイ、
２６  下段側トレイ、２８  背面カバー、３０  第１媒体支持トレイ、
３２、４６  回動軸、３４  第２媒体支持トレイ、３６  媒体搬送部、
３８  媒体排出スタック、４０  原稿押さえ部材、４２  ＡＤＦ読取面、
４４  光学走査部、４８  開口部、５０  移動領域、５２  原稿載置面、
５６  ロック機構、５８  読取部、６０  駆動機構、６２  駆動プーリー、
６４  従動プーリー、６６  無端ベルト、６８  第１ロック部材、７０  第２ロック部材、７２  位置規制部材、７４  第１付勢部材、７６  第２付勢部材、７８、８６  フック部、８０、８８  係合部、８２、９０  付勢部材保持部、８４  係合面、９２  第１ピン、
９２ａ、９２ｂ  切欠き面、９４  第２ピン、９６  第１係合面、９８  第２係合面、
１００  第３係合面、１０２  溝部、１０４  回動許容部、１０６  回動規制部、
１０８、１１４  凹部、１１０、１１６  掛止部、１１２  位置保持部、１１８  開口部、Ｐ  媒体、Ｓ  原稿読取原点
【図１】
2014192591.tif 000003
【図２】
2014192591.tif 000004
【図３】
2014192591.tif 000005
【図４】
2014192591.tif 000006
【図５】
2014192591.tif 000007
【図６】
2014192591.tif 000008
【図７】
2014192591.tif 000009
【図８】
2014192591.tif 000010
【図９】
2014192591.tif 000011
【図１０】
2014192591.tif 000012